(57)【特許請求の範囲】
【請求項１】
樹脂封止型の光半導体装置に用いられる光半導体装置用リードフレームにおいて、
表面側に位置する内部端子と、裏面側に位置する外部端子とを含む複数の端子部を備え、
各前記端子部に、前記光半導体装置の外形に切断される連結部が連結され、
各前記端子部の表面のうち、前記連結部の近傍領域以外の領域に凹部が形成されており、
各前記端子部の表面のうち、前記連結部の近傍領域には凹部が形成されておらず、
前記凹部が、平面視上、前記光半導体装置用リードフレームの外周の少なくとも一部に沿って溝状に形成されていることを特徴とする光半導体装置用リードフレーム。
【請求項２】
前記凹部が、平面視上、複数並走するように形成されていることを特徴とする請求項１に記載の光半導体装置用リードフレーム。
【請求項３】
前記凹部が、前記光半導体装置用リードフレームのコーナー部において、円弧状に形成されていることを特徴とする請求項１〜２のいずれか一項に記載の光半導体装置用リードフレーム。
【請求項４】
各前記端子部に、少なくとも一対の前記連結部が連結されており、
各前記端子部の表面のうち、前記一対の連結部の近傍領域の間に前記凹部が形成され、  各前記端子部の表面のうち、前記一対の連結部の近傍領域にはともに凹部が形成されていないことを特徴とする請求項１〜３のいずれか一項に記載の光半導体装置用リードフレーム。
【請求項５】
前記連結部は、裏面側から薄肉化されていることを特徴とする請求項１〜４のいずれか一項に記載の光半導体装置用リードフレーム。
【請求項６】
請求項１〜５のいずれか一項に記載の光半導体装置用リードフレームと、光半導体素子が発する光を反射する光反射性樹脂と、を備えたことを特徴とする樹脂付き光半導体装置用リードフレーム。
【請求項７】
前記凹部の少なくとも一部の上に、前記光反射性樹脂が形成されていることを特徴とする請求項６に記載の樹脂付き光半導体装置用リードフレーム。
【請求項８】
請求項１〜５のいずれか一項に記載の光半導体装置用リードフレームと、前記光半導体装置用リードフレームの表面に載置された光半導体素子と、前記光半導体素子を封止し、少なくとも前記光半導体素子が発する光の一部を透過する透光性樹脂と、を備えたことを特徴とする光半導体装置。
【請求項９】
前記光半導体素子が発する光を反射する光反射性樹脂が、平面視上、前記透光性樹脂を取り囲むように備えられていることを特徴とする請求項８に記載の光半導体装置。
【請求項１０】
前記凹部の少なくとも一部の上に、前記透光性樹脂が形成されていることを特徴とする請求項８〜９のいずれか一項に記載の光半導体装置。
【請求項１１】
前記凹部の少なくとも一部の上に、光反射性樹脂が形成されていることを特徴とする請求項９〜１０のいずれか一項に記載の光半導体装置。
【発明の詳細な説明】
【技術分野】
【０００１】
本発明は、ＬＥＤ等の光半導体素子を載置する光半導体装置用リードフレーム、樹脂付き光半導体装置用リードフレーム、および光半導体装置に関する。
【背景技術】
【０００２】
従来、ＬＥＤ（発光ダイオード）素子を光源として用いる照明装置が、各種家電、ＯＡ機器、車両機器の表示灯、一般照明、車載照明、およびディスプレイ等に用いられている。このような照明装置の中には、互いに絶縁された端子部を有するリードフレームとＬＥＤ素子とを有する光半導体装置を含むものがある。
【０００３】
このような光半導体装置として、例えば、特許文献１には、ＰＬＣＣ（Plastic leadedchip carrier）タイプの光半導体装置が開示されている。特許文献１において、ＰＬＣＣタイプの光半導体装置は、リードフレームを保持する構造体と、ＬＥＤ素子を封止するドーム形カプセル材料とを有している。
【０００４】
ここで、一般に、ＬＥＤ素子を封止する材料には、ＬＥＤ素子の発する光を透過させる透光性樹脂が用いられ、その外周には、光半導体装置の発光効率を向上させるために光反射性樹脂が形成されている。
【先行技術文献】
【特許文献】
【０００５】
【特許文献１】特開２００７−４９１６７号公報
【発明の概要】
【発明が解決しようとする課題】
【０００６】
ところで近年、ＬＥＤ素子を含む光半導体装置を、更に小型化、薄型化にすることが求められている。このため、リードフレームのＬＥＤ素子を載置する面（表面）とは反対側の面（裏面）の端子部を、外部端子として樹脂から露出させて外部基板に実装する構造（いわゆる下面実装型構造）の光半導体装置が用いられてきている。
【０００７】
このような小型、薄型の光半導体装置においては、例えば、樹脂が端子部の表面および側面にしか形成されず、端子部の裏面には形成されないため、樹脂とリードフレームとの接触面積が小さくなることによる樹脂の脱離を防止するために、リードフレーム表面に微細な凹部を形成し、密着性を高めることが行われている。
【０００８】
ここで、上述のようなリードフレームは、一般に、平板状の金属基板に、連結部を介して多面付けされた形態で一括して加工形成され、光反射性樹脂の形成、光半導体素子の載置、および透光性樹脂の形成等の各工程を経た後に、前記連結部が切断（ダイシング）されることで、個々の光半導体装置となる。
【０００９】
しかしながら、上述のような凹部が、前記連結部の近傍領域に形成されている場合、その領域の前記端子部の厚み（肉厚）が薄くなってしまうことから、ダイシング時のカットストレスにより、リードフレームが変形してしまうという恐れがあった。
【００１０】
本発明は、上記実情に鑑みてなされたものであり、リードフレーム表面に上述のような凹部を形成する場合であっても、ダイシング時のカットストレスによるリードフレームの塑性変形を防止することが可能な、光半導体装置用リードフレーム、樹脂付き光半導体装置用リードフレーム、および光半導体装置を提供することを目的とする。
【課題を解決するための手段】
【００１１】
本発明者は種々研究した結果、リードフレーム表面の前記連結部の近傍以外の領域に上述のような凹部を形成し、前記連結部の近傍領域には前記凹部を形成しないようにして、前記連結部の近傍領域のリードフレームの厚みを、前記凹部が形成された領域の厚みよりも厚く保つことで、上記課題を解決できることを見出して本発明を完成したものである。
【００１２】
すなわち、本発明は、樹脂封止型の光半導体装置に用いられる光半導体装置用リードフレームにおいて、表面側に位置する内部端子と、裏面側に位置する外部端子とを含む複数の端子部を備え、各前記端子部に、前記光半導体装置の外形に切断される連結部が連結され、各前記端子部の表面のうち、前記連結部の近傍領域以外の領域に凹部が形成されており、各前記端子部の表面のうち、前記連結部の近傍領域には凹部が形成されていないことを特徴とする光半導体装置用リードフレームである。
【００１３】
また、本発明は、前記凹部が、平面視上、前記光半導体装置用リードフレームの外周の少なくとも一部に沿って溝状に形成されていることを特徴とする光半導体装置用リードフレームである。
【００１４】
また、本発明は、前記凹部が、平面視上、複数並走するように形成されていることを特徴とする光半導体装置用リードフレームである。
【００１５】
また、本発明は、前記凹部が、前記光半導体装置用リードフレームのコーナー部において、円弧状に形成されていることを特徴とする光半導体装置用リードフレームである。
【００１６】
また、本発明は、前記凹部が、平面視上、略円形、または略多角形の形状を有しており、前記光半導体装置用リードフレームの外周の少なくとも一部に沿って、複数の前記凹部が形成されていることを特徴とする光半導体装置用リードフレームである。
【００１７】
また、本発明は、各前記端子部に、少なくとも一対の前記連結部が連結されており、各前記端子部の表面のうち、前記一対の連結部の近傍領域の間に前記凹部が形成され、各前記端子部の表面のうち、前記一対の連結部の近傍領域にはともに凹部が形成されていないことを特徴とする光半導体装置用リードフレームである。
【００１８】
また、本発明は、前記連結部は、裏面側から薄肉化されていることを特徴とする光半導体装置用リードフレームである。
【００１９】
また、本発明は、光半導体装置用リードフレームと、光半導体素子が発する光を反射する光反射性樹脂と、を備えたことを特徴とする樹脂付き光半導体装置用リードフレームである。
【００２０】
また、本発明は、前記凹部の少なくとも一部の上に、前記光反射性樹脂が形成されていることを特徴とする樹脂付き光半導体装置用リードフレームである。
【００２１】
また、本発明は、光半導体装置用リードフレームと、前記光半導体装置用リードフレームの表面に載置された光半導体素子と、前記光半導体素子を封止し、少なくとも前記光半導体素子が発する光の一部を透過する透光性樹脂と、を備えたことを特徴とする光半導体装置である。
【００２２】
また、本発明は、前記光半導体素子が発する光を反射する光反射性樹脂が、平面視上、前記透光性樹脂を取り囲むように備えられていることを特徴とする光半導体装置である。
【００２３】
また、本発明は、前記凹部の少なくとも一部の上に、前記透光性樹脂が形成されていることを特徴とする光半導体装置である。
【００２４】
また、本発明は、前記凹部の少なくとも一部の上に、前記光反射性樹脂が形成されていることを特徴とする光半導体装置である。
【発明の効果】
【００２５】
本発明によれば、光半導体装置用リードフレームを構成する端子部の表面側の面と、樹脂との密着性を高める凹部が、前記連結部の近傍領域以外の前記端子部の表面側の面に形成されており、前記連結部の近傍領域には前記凹部が形成されていないため、前記連結部の近傍領域の端子部の厚みを、前記凹部が形成された領域の厚みよりも厚く保つことが可能となり、光半導体装置用リードフレームと樹脂との密着性を向上しつつ、前記連結部をダイシングする際のカットストレスによる光半導体装置用リードフレームの塑性変形を防止することができる。
【図面の簡単な説明】
【００２６】
【図１】本発明に係る光半導体装置用リードフレームの平板状の形態の一例を示す平面図である。
【図２】図１におけるＲ領域の部分拡大図である。
【図３】本発明に係る光半導体装置用リードフレームのパッケージ領域の形態の一例を示す説明図であり、（ａ）は平面図、（ｂ）は（ａ）のＡ−Ａ断面図、（ｃ）は（ａ）のＢ−Ｂ断面図である。
【図４】本発明に係る光半導体装置用リードフレームにおける連結部の近傍領域を説明する図である。
【図５】本発明に係る光半導体装置用リードフレームの効果を説明する断面図であり、（ａ）は連結部の近傍領域に凹部が形成されている形態のリードフレームの例、（ｂ）は本発明のリードフレームの例を示す。
【図６】本発明に係る光半導体装置用リードフレームの他の例を示す平面図である。
【図７】本発明に係る樹脂付き光半導体装置用リードフレームの一例を示す断面図である。
【図８】本発明に係る光半導体装置の一例を示す断面図である。
【図９】本発明に係る光半導体装置用リードフレームの製造方法の一例を示す模式的工程図である。
【図１０】本発明に係る光半導体装置用リードフレームを用いた光半導体装置の製造方法の一例を示す模式的工程図である。
【発明を実施するための形態】
【００２７】
以下、本発明の光半導体装置用リードフレーム、樹脂付き光半導体装置用リードフレーム、および光半導体装置について詳細に説明する。
【００２８】
［光半導体装置用リードフレーム］
まず、本発明の光半導体装置用リードフレームについて説明する。図１は、本発明に係る光半導体装置用リードフレームの平板状の形態の一例を示す平面図であり、図２は、図１におけるＲ領域の部分拡大図であり、図３は、本発明に係る光半導体装置用リードフレームのパッケージ領域の形態の一例を示す説明図であり、（ａ）は平面図、（ｂ）は（ａ）のＡ−Ａ断面図、（ｃ）は（ａ）のＢ−Ｂ断面図である。
【００２９】
本発明に係る光半導体装置用リードフレームは、図１、図２に示すように、一般に、銅（Ｃｕ）、銅合金、４２合金（Ｎｉ４０．５％〜４３％のＦｅ合金）、アルミニウム等を材料とする平板状の金属基板に、多面付けされた形態で一括して加工形成される。そして、光反射性樹脂の形成、光半導体素子の載置、および透光性樹脂の形成の各工程を経た後に、パッケージ単位に切断（ダイシング）されて、個々の光半導体装置となる。
【００３０】
また、図３に示すように、本発明に係る光半導体装置用リードフレームは、例えば、２個の端子部で１単位のパッケージ（１単位の光半導体装置）を構成し、片方の端子部の表面側に光半導体素子が載置される形態をとることが多いが、光半導体素子が２個の端子部を跨いで載置される形態をとる場合もある。また、端子部とは別に、光半導体素子が載置されるダイパッド部を有する場合もある。
【００３１】
さらに、複数の光半導体素子を用いて１単位の光半導体装置を構成する場合には、光半導体装置用リードフレームも、各光半導体素子に応じた複数の端子部で１単位のパッケージを構成する場合もある。
【００３２】
図１に示す例においては、本発明に係る光半導体装置用リードフレームは、平板状の金属基板に多面付けされた形態をしており、矩形状の外形を有する枠体領域２と、枠体領域２内にマトリックス状に配置された複数のパッケージ領域３とを備えている。複数のパッケージ領域３は、互いにダイシング領域４に設けられた連結部（図示せず）を介して接続されている。
【００３３】
そして、図２に示すように、パッケージ領域３における光半導体装置用リードフレーム１０は、端子部１１と、端子部１１に隣接する端子部１２とを有している。なお、各パッケージ領域３は、それぞれ個々の光半導体装置に対応する領域である。
【００３４】
図２に示すように、各パッケージ領域３内の端子部１２は、その右方に隣接する他のパッケージ領域３内の端子部１１と、連結部１３ａにより連結されている。また、各パッケージ領域３内の端子部１１は、その上方および下方に隣接する他のパッケージ領域３内の端子部１１と、それぞれ連結部１３ｂにより連結されている。同様に、各パッケージ領域３内の端子部１２は、その上方および下方に隣接する他のパッケージ領域３内の端子部１２と、それぞれ連結部１３ｃによって連結されている。ここで、各連結部１３ａ、１３ｂ、１３ｃは、いずれもダイシング領域４に位置している。なお、最も外周に位置するパッケージ領域３内の端子部１１および端子部１２は、連結部１３ａ、１３ｂ、１３ｃのうちの１つまたは複数によって、枠体領域２に連結されている。各連結部１３ａ、１３ｂ、１３ｃは、裏面側からハーフエッチングにより薄肉化されている。
【００３５】
また、一つのパッケージ領域３内の光半導体装置用リードフレーム１０における端子部１１と端子部１２との間には、隙間（貫通部）が形成されており、切断（ダイシング）された後には端子部１１と端子部１２とは互いに電気的に絶縁されるようになっている。
【００３６】
続いて、図２に示すパッケージ領域３における本発明に係る光半導体装置用リードフレーム構成を、図３を用いてさらに詳しく説明する。
【００３７】
本発明に係る光半導体装置用リードフレームは、金属基板の表面側に内部端子と裏面側に外部端子を一体的に有する端子部を、一平面内に複数個、それぞれ互いに電気的に独立して配置し、前記端子部の内部端子と光半導体素子の端子とを電気的に接続し、前記端子部の裏面を外部に露出させるように全体を樹脂封止した樹脂封止型の光半導体装置に用いられる光半導体装置用リードフレームであって、前記端子部は、前記光半導体装置の外形に切断される連結部を有し、前記連結部の近傍領域以外の前記端子部の表面側に凹部が形成されており、前記連結部の近傍領域の前記端子部の厚みが、前記凹部が形成された領域の前記端子部の厚みよりも厚いことを特徴とする。
【００３８】
例えば、図３（ａ）に示すように、本発明に係る光半導体装置用リードフレーム１０は、２個の端子部１１、１２を有し、前記端子部１１、１２の表面には、それぞれ、光半導体装置用リードフレーム１０の外周の少なくとも一部に沿って形成された溝状の凹部１４を有している。ただし、溝状の凹部１４は、連結部１３ａ、１３ｂ、１３ｃの近傍領域以外の端子部１１、１２の表面に形成されており、連結部１３ａ、１３ｂ、１３ｃの近傍領域には形成されておらず、不連続な形態となっている。
【００３９】
この場合、溝状の凹部１４は、端子部１１の表面のうち、各連結部１３ａ、１３ｂの近傍領域間に形成され、端子部１２の表面のうち、各連結部１３ａ、１３ｃの近傍領域間に形成されている。また、溝状の凹部１４は、端子部１１、１２の表面のうち、端子部１１の連結部１３ｂの近傍領域と端子部１２の連結部１３ｃの近傍領域との間にも形成されている。
【００４０】
そして、例えば、図３（ｂ）に示すように、凹部１４が形成された領域の前記端子部の厚み（肉厚）は、凹部１４の深さに相当する大きさの分だけ厚みが減ることになるが、図３（ｃ）に示すように、端子部１１の連結部１３ａと端子部１２の連結部１３ａを結ぶ断面（図３（ａ）のＢ−Ｂ断面）においては、凹部１４が形成されていないため、端子部の厚み（肉厚）は、凹部１４の深さに相当する大きさの分だけ厚みが減るというようなことはない。すなわち、連結部１３ａの近傍領域の端子部１１、１２の厚みは、前記凹部１４が形成された領域の端子部１１、１２の厚みよりも厚いことになる。ここで、図３（ｃ）に示す例においては、連結部１３ａの近傍領域の厚みは、エッチング加工が施される前の金属基板２１と同等の厚みとなっている。また、図示はしないが、金属基板と同等の厚みでなくとも、一定の面積を有する近傍領域で、凹部が形成された部位の厚みよりも厚く金属基板の厚みを残すことで、補強部として機能させることが可能である。
【００４１】
ここで、溝状の凹部１４は、光半導体装置用リードフレーム１０と樹脂との密着性を高めるために形成されるものであり、例えば、光半導体装置用リードフレーム１０の外周から０．０３ｍｍ〜０．８ｍｍの距離を隔てた内側に形成される。溝状の凹部１４の開口幅（長手方向に垂直な方向の幅）は、例えば、０．０５ｍｍ〜１ｍｍである。また、溝状の凹部１４の深さは、その開口幅の大きさにもよるが、例えば、光半導体装置用リードフレーム１０を構成する金属基板２１の厚さの１／４〜３／４程度であり、好ましくは金属基板２１の厚さの１／２〜３／４であり、典型的には、前記金属基板２１の厚さの１／２程度である。
【００４２】
また、図３（ｂ）、（ｃ）に示すように、光半導体装置用リードフレーム１０は、金属基板２１と、金属基板２１上に形成されためっき層２２からなっている。本発明においては、光半導体装置を小型化、薄型化にするため、光半導体装置用リードフレーム１０を構成する端子部１１および端子部１２は、その表面１１Ａ、１２Ａ側が、光半導体素子と電気的に接続される内部端子（インナーリード）として機能し、その裏面１１Ｂ、１２Ｂ側が、外部基板と電気的に接続される外部端子（アウターリード）として機能する。
【００４３】
なお、本例においては、端子部１１は、光半導体素子が載置されるダイパッドとしても機能するため、隣接する端子部１２よりも大きな面積を有している。
【００４４】
金属基板２１の材料としては、例えば銅、銅合金、４２合金（Ｎｉ４０．５％〜４３％のＦｅ合金）、アルミニウム等を挙げることができる。この金属基板２１の厚みは、例えば、０．０５ｍｍ〜０．５ｍｍとすることが好ましい。
【００４５】
めっき層２２は、端子部１１、１２を構成する金属基板２１の表面および裏面に設けられており、表面側のめっき層２２は、光半導体素子からの光を反射するための反射層として機能する。他方、裏面側のめっき層２２は、外部基板に実装される際の半田との濡れ性を高める役割を果たす。なお、図３（ｂ）に示す例においては、めっき層２２は、端子部１１および端子部１２ともに、金属基板２１の表面および裏面の全体に設けられているが、本発明において前記めっき層２２は、端子部１１、１２の表面または裏面の所望の部分にのみ形成されていてもよい。例えば、凹部の内壁と樹脂との密着性を向上させるために、凹部の内部には前記めっき層が形成されていない構成であってもよい。
【００４６】
上述のめっき層２２は、例えば銀（Ａｇ）の電解めっき層からなっており、その厚みは、例えば、０．０２μｍ〜１２μｍの範囲である。
【００４７】
次に、本発明に係る光半導体装置用リードフレームにおける連結部の近傍領域について、説明する。
【００４８】
図４は、本発明に係る光半導体装置用リードフレームにおける連結部の近傍領域を説明する図である。本発明における連結部の近傍領域とは、例えば、前記連結部の付け根の領域に相当する前記端子部の領域であって、前記連結部の幅方向と同じ方向の大きさが、前記連結部の幅の中心線を挟んで、両脇に各々前記連結部の幅の１／４倍〜３／２倍の大きさであって、前記連結部の長手方向と同じ方向の大きさが、前記連結部の幅の１／２倍〜３倍の大きさの領域である。
【００４９】
例えば、図４に示すように、連結部の近傍領域は、Ｌ２×Ｌ３で表される略矩形の領域である。ここで、連結部１３の幅をＬ１とした場合に、Ｌ２は、Ｌ１と平行関係にあり、Ｌ２の大きさは、例えば、Ｌ１の１／２倍〜３倍の大きさであることが好ましく、中でも、Ｌ２の大きさがＬ１より大きい寸法であることが、より好ましい。一方、Ｌ３は、Ｌ１と垂直関係にあり、Ｌ１の１／２倍〜３倍の大きさを有している。なお、Ｌ１の中心位置とＬ２の中心位置は一致する。
【００５０】
本発明に係る光半導体装置用リードフレームにおいては、上述のように、連結部の幅（端子部と接続している付け根の長さ）を基準に近傍領域を定め、連結部の近傍領域には樹脂との密着性を高める凹部を形成せず、連結部の近傍領域以外の前記端子部の表面に前記凹部を形成するため、前記連結部の近傍領域の端子部の厚みを、前記凹部が形成された領域の厚みよりも厚く保つことが可能となり、光半導体装置用リードフレームと樹脂との密着性を向上しつつ、前記連結部をダイシングする際のカットストレスによる光半導体装置用リードフレームの塑性変形を防止することができる。
【００５１】
上述の効果について、図５を用いてより詳しく説明する。図５は、本発明に係る光半導体装置用リードフレームの効果を説明する断面図であり、（ａ）は連結部の近傍領域に凹部が形成されている形態のリードフレームの例、（ｂ）は本発明のリードフレームの例を示す。
【００５２】
上術のように、本発明に係る光半導体装置用リードフレームは、通常、平板状の金属基板に多面付けされた形態で一括して形成さる。そして、図５に示すように、所定の部位に光反射性樹脂３１、光半導体素子４２、透光性樹脂４４が形成された後に、連結部１３ａ等の各連結部（図示せず）をダイシングすることにより、個片化された光半導体装置を得る。
【００５３】
なお、ダイシングされる際の連結部１３ａ等の各連結部は、上下に形成された光反射性樹脂３１で挟まれた形態となっている。そして、光反射性樹脂３１などの樹脂は硬く脆い為、ダイシングにおいて削られ易いが、連結部１３ａ等の各連結部を構成する金属基板２１は粘りがあるために、光反射性樹脂３１から引っ張られる方向のストレスが発生する。そして、図５（ａ）に示すように、連結部１３ａの近傍領域に凹部１４が形成されている形態のリードフレームにおいては、その凹部１４が形成されている部位の厚みは、凹部１４の深さに相当する大きさの分だけ厚みが減るため、その分、強度が低下し、上記の連結部の引っ張りによって端子部１１が変形してしまう恐れがある。
【００５４】
また、ダイシングの際は、光半導体装置用リードフレームの表面側（光半導体素子４２が載置される面の側）から、高速回転するダイシングブレードが押し付けられるため、連結部１３ａ等の各連結部を構成する金属基板２１は、光半導体装置用リードフレームの裏面側方向に押し付けられると同時に、ダイシングブレードの回転方向に引っ張られることになる。そして、図５（ａ）に示すような、連結部１３ａの近傍領域に凹部１４が形成されている形態のリードフレームにおいては、その凹部１４が形成されている部位の厚みは、凹部１４の深さに相当する大きさの分だけ厚みが減るため、その分、強度が低下し、上述のダイシングブレードの押し付けによるストレスによっても、端子部１１が変形してしまう恐れがある。
【００５５】
そして、上述のような各ストレスによって端子部１１が変形してしまうと、光反射性樹脂３１や透光性樹脂４４の破損、若しくは剥離を生じさせることになる。
【００５６】
一方、図５（ｂ）に示すように、本発明に係るリードフレームにおいては、連結部１３ａの近傍領域には凹部１４が形成されていないため、連結部１３ａの近傍領域の端子部の厚み（肉厚）は、凹部１４の深さに相当する大きさの分だけ厚みが減るというようなことはない。それゆえ、本発明に係るリードフレームは、図５（ａ）のような形態に比べて強度があり、上述のように端子部１１が変形してしまうことを防止するという効果を奏する。
【００５７】
なお、図５に示した例においては、連結部１３ａは、上下に形成された光反射性樹脂３１で挟まれた形態となっているが、本発明においては、連結部１３ａ等の各連結部を上下に挟む樹脂は光反射性樹脂３１に限られず、透光性樹脂４４であっても良い。
【００５８】
次に、本発明に係る光半導体装置用リードフレームの他の形態について説明する。図６は、本発明に係る光半導体装置用リードフレームの他の例を示す平面図である。
【００５９】
本発明に係る光半導体装置用リードフレームにおいては、前記凹部が、平面視上、複数並走するように形成されていてもよい。例えば、図６（ａ）に示すように、本発明に係る光半導体装置用リードフレーム１０においては、その外周の少なくとも一部に沿って形成される溝状の凹部１４ａの内周側に、溝状の凹部１４ｂが、平面視上、溝状の凹部１４ａに並走するように形成されていてもよい。
【００６０】
このような構成であれば、上述の形態における効果に加えて、光半導体装置用リードフレームと樹脂との接触面積をさらに増すことができるため、樹脂と光半導体装置用リードフレームとの密着性をより高めることができる。また、例えば、外周側の溝状の凹部の上に光反射性樹脂を形成し、内周側の溝状の凹部の上に透光性樹脂を形成することで、光半導体装置用リードフレームと、光反射性樹脂および透光性樹脂の両方との密着性を高めることができる。
【００６１】
なお、図６（ａ）においては、平面視上、外周側と内周側の溝状の凹部２本が、並走するように形成されている例を示しているが、並走する溝状の凹部の数は２本に限られず、３本以上であってもよい。
【００６２】
また、図６（ａ）においては、端子部１１、および端子部１２のそれぞれに形成された溝状の凹部の両方が、複数並走するように形成されている例を示しているが、本発明においては、端子部１１または端子部１２に形成された溝状の凹部のどちらか一方のみが、複数並走するように形成されていてもよい。
【００６３】
また、本発明に係る光半導体装置用リードフレームにおいては、前記凹部が、前記光半導体装置用リードフレームのコーナー部において、円弧状に形成されていてもよい。例えば、図６（ｂ）に示すように、溝状の凹部１４は、前記光半導体装置用リードフレーム１０のコーナー部１５において、円弧状に形成されていてもよい。
【００６４】
そして、円弧状に形成されている溝状の凹部１４の幅方向の中心線の曲率半径は、端子部１１と端子部１２とが対向する側面に平行な方向における溝状の凹部の距離をＬ４とした場合に、Ｌ４の１／５倍〜１／２倍の大きさであることが好ましい。例えば、前記Ｌ４が２ｍｍの場合には、上記の曲率半径は、０．４ｍｍ〜１ｍｍの範囲とすることが好ましい。
【００６５】
このような構成とすることにより、本発明に係る光半導体装置用リードフレームにおいては、後述する光反射性樹脂や透光性樹脂を形成する際に、各樹脂の流動を阻害することなく、溝状の凹部への樹脂の充填を容易に行うことができる。
【００６６】
また、本発明に係る光半導体装置用リードフレームにおいては、前記凹部が、平面視上、略円形、または略多角形の形状を有しており、前記光半導体装置用リードフレームの外周の少なくとも一部に沿って、複数の前記凹部が形成されていてもよい。例えば、図６（ｃ）に示すように、略円形の凹部１４ｃが、前記光半導体装置用リードフレーム１０の外周の少なくとも一部に沿って、複数個形成されていてもよい。ただし、凹部１４ｃは、連結部の近傍領域には形成されておらず、連結部の近傍領域以外の端子部の表面に形成されている。
【００６７】
このような構成とすることにより、本発明に係る光半導体装置用リードフレームにおいては、光半導体装置用リードフレームと樹脂との密着性を維持しつつ、凹部形成によって端子部の厚み（肉厚）が減少してしまう領域を減らすことが可能となるため、光半導体装置用リードフレームの強度も高い状態に維持することができる。
【００６８】
なお、図６（ｃ）においては、略円形の凹部１４ｃが、平面視上、光半導体装置用リードフレーム１０の外周近傍に沿って概ね一列に形成されている例を示しているが、その配設位置は、連結部の近傍領域以外であればよく、より内側の位置にランダムに形成してもよい。また、凹部１４ｃの形状は、略円形に限られず、矩形やＬ字型等、各種の略多角形であってもよい。
【００６９】
［樹脂付き光半導体装置用リードフレーム］
次に、本発明に係る樹脂付き光半導体装置用リードフレームについて説明する。図７は、本発明に係る樹脂付き光半導体装置用リードフレームの一例を示す断面図である。本発明に係る樹脂付き光半導体装置用リードフレームは、上述の本発明に係る光半導体装置用リードフレームと、光半導体素子が発する光を反射する光反射性樹脂と、を備えたものである。
【００７０】
上述の光反射性樹脂は、例えば、熱可塑性樹脂または熱硬化性樹脂からなり、光半導体素子が載置される部位の周囲の光半導体装置用リードフレームの表面および側面に形成されるものである。上述の光反射性樹脂を形成する方法としては、例えば、射出成形やトランスファ成形のように、樹脂成型金型にリードフレームをインサートし、樹脂を注入する方法や、リードフレーム上に樹脂をスクリーン印刷する方法を用いることができる。ここで、上述のように、本発明に係る端子部１１および端子部１２は、その表面側が、光半導体素子と電気的に接続される内部端子（インナーリード）として機能し、その裏面側が、外部基板と電気的に接続される外部端子（アウターリード）として機能するものである。それゆえ、本発明に係る樹脂付き光半導体装置用リードフレーム３０においては、図７に示すように、端子部１１および端子部１２の裏面には光反射性樹脂３１は形成されておらず、各端子部１１、１２の裏面が露出した構造になっている。
【００７１】
なお、端子部１１と端子部１２との間に形成された隙間（貫通部）には、光反射性樹脂３１が形成されていることが好ましい。端子部１１と端子部１２とを電気的に絶縁することができ、さらに、この隙間（貫通部）に到達した光も高い反射率で反射させることができ、光半導体装置の発光効率を向上することができるからである。
【００７２】
上述の光反射性樹脂に使用される熱可塑性樹脂や熱硬化性樹脂については、特に耐熱性、耐光性および機械的強度の優れたものを選ぶことが望ましい。例えば、熱可塑性樹脂としては、ポリアミド、ポリフタルアミド、ポリフェニレンサルファイド、液晶ポリマー、ポリエーテルサルホン、ポリブチレンテレフタレート等を用いることができる。また、熱硬化性樹脂としては、シリコーン、エポキシ、ポリエーテルイミド、ポリウレタンおよびポリブチレンアクリレート等を用いることができる。さらにまた、これらの樹脂中に光反射剤として、二酸化チタン、二酸化ジルコニウム、チタン酸カリウム、窒化アルミニウムおよび窒化ホウ素のうちいずれかを添加することによって、光の反射率を増大させることも可能である。
【００７３】
光反射性樹脂には異方性フィラーが含まれていてもよい。光反射性樹脂に含まれる異方性フィラーとしては、酸化アルミニウム、窒化アルミニウム、シリカ等を使用できる。特に断面の短径と長径が異なる断面形状を有する異形断面ガラス繊維が補強の観点から望ましく、特に、光半導体装置に求められる強度、反射、個片化時の加工特性から、断面の短径Ｄ１が０．５〜２５μｍ、断面の長径Ｄ２が０．６〜３００μｍ、Ｄ１に対するＤ２の比Ｄ２／Ｄ１が１．２〜３０である断面形状を有する平均繊維長０．７５〜３００μｍのガラス繊維であることが好ましい。なお、当該繊維径および繊維長は、ガラス繊維積層体の任意な点からランダムに所定量のガラス繊維を抜き取り、抜き取った繊維を乳鉢等で粉砕し、画像処理装置により計測することで求めることができる。このように光反射性樹脂に異方性フィラーを含有させることにより、枠体領域２の周縁を構成する２方向（Ｘ方向およびＹ方向）に対する光半導体装置用リードフレームの反りを抑えることが可能となる。
【００７４】
本発明においては、前記光反射性樹脂は、前記溝状の凹部の少なくとも一部の上に形成されていることが好ましい。例えば、図７（ａ）に示すように、光反射性樹脂３１は、端子部１１、１２に設けられた凹部１４の上に形成されていてもよい。このような構成とすることにより、光反射性樹脂３１と光半導体装置用リードフレームを構成する端子部１１、１２との密着性を高めることができる。
【００７５】
また、本発明においては、例えば、図７（ｂ）に示すように、光反射性樹脂３１は、凹部１４の外周側に形成されていてもよい。このような構成であれば、上述のような樹脂付き光半導体装置用リードフレームを用いて、光反射性樹脂で周囲を囲まれた領域に光半導体素子を封止する透光性樹脂を形成する場合に、透光性樹脂と光半導体装置用リードフレームとの密着性を高めることができる。
【００７６】
なお、図示はしないが、本発明においては、例えば、図７（ａ）に示すような複数の溝状の凹部を有する前記光半導体装置用リードフレームを用いて、例えば、外周側の前記溝状の凹部の上に光反射性樹脂を、内周側の前記溝状の凹部の上に透光性樹脂を、それぞれ形成してもよい。このような構成とすることにより、光反射性樹脂および透光性樹脂の両方の樹脂と、光半導体装置用リードフレームとの密着性を高めることができるからである。
【００７７】
［光半導体装置］
次に、本発明に係る光半導体装置について説明する。図８は、本発明に係る光半導体装置の一例を示す断面図である。本発明に係る光半導体装置は、上述の本発明に係る光半導体装置用リードフレームと、前記光半導体装置用リードフレームの表面に載置された光半導体素子と、前記光半導体素子を封止し、少なくとも前記光半導体素子が発する光の一部を透過する透光性樹脂と、を備えたものである。また、本発明に係る光半導体装置においては、平面視上、前記透光性樹脂を取り囲むように、上述の光反射性樹脂が備えられていてもよい。例えば、図８（ａ）に示す例において、本発明に係る光半導体装置４０は、本発明に係る光半導体装置用リードフレームの端子部１１の表面に載置された光半導体素子４２と透光性樹脂４４とを備えており、透光性樹脂４４を取り囲むように、光反射性樹脂３１が備えられている。
【００７８】
上述の光半導体素子としては、例えば、従来一般に用いられているＬＥＤ素子を用いることができる。ここで、ＬＥＤ素子は、発光層として、例えば、ＧａＰ、ＧａＡｓ、ＧａＡｌＡｓ、ＧａＡｓＰ、ＡｌＩｎＧａＰ等の化合物半導体単結晶、または、ＩｎＧａＮ等の各種ＧａＮ系化合物半導体単結晶からなる材料を適宜選ぶことにより、紫外光から赤外光に渡る発光波長を選択することができるものである。
【００７９】
光半導体素子の載置形態としては、例えば、図８（ａ）、（ｂ）に示すように、２個の端子部１１、１２のいずれか一方をダイパッドとして利用する形態や、例えば、図８（ｃ）に示すように、２個の端子部１１、１２に跨るような形態がある。また、図示はしないが、端子部とは別のダイパッド部に光半導体素子が載置される形態もある。
【００８０】
また、例えば、図８（ａ）、（ｂ）に示すように、光学素子４２は、半田等の放熱性接着剤４１により端子部１１上に固定実装され、ボンディングワイヤ４３により、端子部１１および端子部１２に接続される。
【００８１】
ここで、半田の代わりにダイボンディングペーストを用いる場合には、耐光性のあるエポキシ樹脂やシリコーン樹脂からなるダイボンディングペーストを選択することが可能である。
【００８２】
ボンディングワイヤ４３は、例えば、金（Ａｕ）等の導電性の良い材料からなり、その一端が光半導体素子４２に接続されるとともに、その他端が各端子部１１、１２に接続される。なお、光半導体素子と端子部との接続には、例えば、図８（ｃ）に示すように、ボンディングワイヤに代えて、金−金接合や、半田等の導電性を有する放熱性接着剤４１ａ、４１ｂによって、各端子部１１、１２に接続される方法もある。また、ＡＣＦ（異方性導電フィルム）、ＡＣＰ（異方性導電ペースト）、ＮＣＦ（非導電性フィルム）、またはＮＣＰ（非導電性ペースト）等を用いて光半導体素子の端子を光半導体装置用リードフレームの端子部に直接接合する方法もある。
【００８３】
次に、透光性樹脂について説明する。本発明に係る透光性樹脂としては、光の取り出し効率を向上させるために、光半導体素子の発光波長において光透過率が高く、また屈折率が高い材料を選択するのが望ましい。例えば、耐熱性、耐光性、及び機械的強度が高いという特性を満たす樹脂として、エポキシ樹脂やシリコーン樹脂を選択することが可能である。特に、光半導体素子として高輝度ＬＥＤを用いる場合、透光性樹脂は強い光にさらされるため、透光性樹脂は高い耐光性を有するシリコーン樹脂からなることが好ましい。
【００８４】
なお、光反射性樹脂については、上述の本発明の樹脂付き光半導体装置用リードフレームにおいて既に説明したので、ここでは詳細な説明を省略する。
【００８５】
本発明の光半導体装置においては、前記溝状の凹部の少なくとも一部の上に、前記透光性樹脂が形成されていることが好ましい。例えば、図８（ａ）に示すように、透光性樹脂４４は、端子部１１に設けられた溝状の凹部１４、および端子部１２に設けられた溝状の凹部１４の上に形成されていてもよい。このような構成とすることにより、本発明に係る光半導体装置においては、透光性樹脂と光半導体装置用リードフレームとの密着性を高めることができるからである。
【００８６】
また、本発明の光半導体装置においては、前記溝状の凹部の少なくとも一部の上に、前記光反射性樹脂が形成されていることが好ましい。例えば、図８（ｂ）に示すように、光反射性樹脂３１は、端子部１１に設けられた溝状の凹部１４、および端子部１２に設けられた溝状の凹部１４の上に形成されていてもよい。このような構成とすることにより、本発明に係る光半導体装置においては、光反射性樹脂と光半導体装置用リードフレームとの密着性を高めることができるからである。
【００８７】
なお、図示はしないが、本発明においては、例えば、図６（ａ）に示すような複数の溝状の凹部を有する前記光半導体装置用リードフレームを用いて、例えば、外周側の前記溝状の凹部の上に光反射性樹脂を、内周側の前記溝状の凹部の上に透光性樹脂を、それぞれ形成してもよい。このような構成とすることにより、光反射性樹脂および透光性樹脂の両方の樹脂と、光半導体装置用リードフレームとの密着性を高めることができるからである。
【００８８】
［光半導体装置用リードフレームの製造方法］
次に、本発明に係る光半導体装置用リードフレームの製造方法について説明する。図８は、本発明に係る光半導体装置用リードフレームの製造方法の一例を示す模式的工程図である。
【００８９】
まず、図９（ａ）に示すように、平板状の金属基板２１を準備する。この金属基板２１としては、上述のように銅、銅合金、４２合金（Ｎｉ４０．５％〜４３％のＦｅ合金）等からなる金属基板を使用することができる。なお金属基板２１は、その両面に対して脱脂等を行い、洗浄処理を施したものを使用することが好ましい。
【００９０】
次に、金属基板２１の表面および裏面に、それぞれ、レジストパターン５１ａ、５１ｂを形成する（図９（ｂ））。レジストパターン５１ａ、５１ｂの材料および形成方法は、エッチング用レジストとして従来公知のものを使用することができる。
【００９１】
次に、レジストパターン５１ａ、５１ｂを耐エッチング膜として金属基板２１にエッチングを施し（図９（ｃ））、その後、レジストパターン５１ａ、５１ｂを除去する（図９（ｄ））。上述のエッチングに用いるエッチング液は、使用する金属基板２１の材質に応じて適宜選択することができ、例えば、金属基板２１として銅を用いる場合、通常、塩化第二鉄水溶液を使用し、金属基板２１の両面からスプレーエッチングにて行うことができる。
【００９２】
このエッチング工程により、端子部１１および端子部１２の外形、端子部１１と端子部１２とを絶縁する開口部６１、ならびに、凹部１４が同時に形成される。なお、図９においては省略するが、この工程段階での端子部１１および端子部１２は、例えば、上述の図２に示すように、各連結部１３ａ、１３ｂ、１３ｃを介して多面付けされた形態をしている。
【００９３】
次に、端子部１１および端子部１２を構成する金属基板２１の全面に、例えば、シアン化銀を主成分とした銀めっき液を用いた電解めっきを施すことにより、めっき層２２を形成し、本発明に係る光半導体装置用リードフレーム１を得ることができる（図９（ｅ））。なお、めっき層２２を形成する前に、例えば、電解脱脂工程、酸洗工程、銅ストライク工程、を適宜選択し、その後、電解めっき工程を経て、めっき層２２を形成してもよい。
【００９４】
なお、図９（ａ）〜（ｅ）においては、エッチングにより光半導体装置用リードフレーム１を製造する方法を示したが、本発明においては、プレスによる製造方法を用いても良い。
【００９５】
［樹脂付き光半導体装置用リードフレームの製造方法および光半導体装置の製造方法］
次に、本発明に係る樹脂付き光半導体装置用リードフレームの製造方法および光半導体装置の製造方法について説明する。図１０は、本発明に係る光半導体装置用リードフレームを用いた光半導体装置の製造方法の一例を示す模式的工程図である。
【００９６】
まず、図１０（ａ）に示すように、上述した工程等によって得られた本発明に係る光半導体装置用リードフレームの表面、および側面に光反射性樹脂３１を形成することにより、本発明に係る樹脂付き光半導体装置用リードフレーム３０を得る。光反射性樹脂３１の形成は、例えば、所望の形状に加工した金型を用いて、熱可塑性樹脂を射出成型またはトランスファ成型することにより形成することができ、これにより、光半導体装置用リードフレームと光反射性樹脂３１とが一体に結合される。
【００９７】
ところで、熱可塑性樹脂を射出成型する場合、熱可塑性樹脂は、主として枠体領域２の周縁を構成する２方向のいずれかに対して平行に各端子部１１、１２間を流れる。例えば、熱可塑性樹脂は、図２の上下方向または左右方向に対して平行に各端子部１１、１２間を流れる。この間、熱可塑性樹脂は、連結部１３ａ、１３ｂ、１３ｃの側面（連結部１３ａ、１３ｂ、１３ｃの長手方向に平行な面）に対して略垂直に衝突する。この場合、熱可塑性樹脂は、連結部１３ａ、１３ｂ、１３ｃを乗り越え、その一部は連結部１３ａ、１３ｂ、１３ｃの表面から端子部１１、１２の表面側に流れ込む。
【００９８】
これに対して本発明においては、端子部１１、１２の表面のうち、連結部１３ａ、１３ｂ、１３ｃの近傍領域には凹部１４が形成されていない。したがって、連結部１３ａ、１３ｂ、１３ｃから端子部１１、１２の表面側に流れ込んだ樹脂が複雑に流動することがない。これにより、熱可塑性樹脂の流れが大きく乱されたり、熱可塑性樹脂の流れが妨げられたりすることが無く、熱可塑性樹脂をスムーズに一定方向に流すことができる。この結果、連結部１３ａ、１３ｂ、１３ｃの周囲にボイド等の欠陥が生じることが防止される。とりわけ、熱可塑性樹脂に異方性フィラーが含まれている場合、流れの方向依存性が大きいため、異方性フィラーの向きが不揃いになることを防止することができる。
【００９９】
次に、図１０（ｂ）に示すように、半田等の放熱性接着剤４１を介して光半導体素子４２を端子部１１上に載置し、ボンディングワイヤ４３により、光半導体素子４２と、端子部１１および端子部１２とを電気的に接続する。
【０１００】
次に、図１０（ｃ）に示すように、光反射性樹脂３１で囲まれた領域の端子部１１および端子部１２の表面に透光性樹脂４４を充填し、透光性樹脂４４により光半導体素子４２を封止する。
【０１０１】
次に、従前の方法等を用いて、ダイシング領域４の光反射性樹脂３１および各連結部１３ａ、１３ｂ、１３ｃ（図示せず）を切断して（図１０（ｄ））、本発明に係る光半導体装置４０を得る（図１０（ｅ））。
【０１０２】
本発明によれば、凹部１４が、前記連結部の近傍領域以外の端子部１１、１２の表面側の面に形成されており、前記連結部の近傍領域には凹部１４が形成されていないため、前記連結部の近傍領域の端子部の厚みを、前記凹部が形成された領域の厚みよりも厚く保つことが可能となり、光半導体装置用リードフレームと樹脂との密着性を向上しつつ、前記連結部をダイシングする際のカットストレスによる光半導体装置用リードフレームの塑性変形を防止することができる。
【０１０３】
以上、本発明の光半導体装置用リードフレーム、樹脂付き光半導体装置用リードフレーム、および光半導体装置について説明したが、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【符号の説明】
【０１０４】
１・・・光半導体装置用リードフレーム
２・・・枠体領域
３・・・パッケージ領域
４・・・ダイシング領域
１０・・・光半導体装置用リードフレーム
１１、１２・・・端子部
１３、１３ａ、１３ｂ、１３ｃ・・・連結部
１４、１４ａ、１４ｂ、１４ｃ・・・凹部
１５・・・コーナー部
２１・・・金属基板
２２・・・めっき層
３０・・・樹脂付き光半導体装置用リードフレーム
３１・・・光反射性樹脂
４０・・・光半導体装置
４１、４１ａ、４１ｂ・・・放熱性接着剤
４２・・・光半導体素子
４３・・・ボンディングワイヤ
４４・・・透光性樹脂
５１ａ、５１ｂ・・・レジストパターン
６１・・・貫通部
【図１】
0005935578.tif 000002
【図２】
0005935578.tif 000003
【図３】
0005935578.tif 000004
【図４】
0005935578.tif 000005
【図５】
0005935578.tif 000006
【図６】
0005935578.tif 000007
【図７】
0005935578.tif 000008
【図８】
0005935578.tif 000009
【図９】
0005935578.tif 000010
【図１０】
0005935578.tif 000011